(57)【要約】【課題】ＰＴＴボタンを装備していないサーバなどもＰＴＴ通信に参加することを可能にする。【解決手段】ＰＴＴ通信サーバ２００は、端末装置１００Ａ〜１００ＣのいずれかにてＰＴＴボタン１０２−１が押下された状態では、ＰＴＴボタン１０２−１が押下された端末装置に対し、ＰＴＴボタン１０２−１の押下を解除するまで発言権を付与し、ＰＴＴボタン１０２−１が押下された端末装置に入力された通信データを、ネットワーク５００を介して他の端末装置に対して一方的に転送する。一方、端末装置１００Ａ〜１００ＣのいずれでもＰＴＴボタン１０２−１が押下されていない状態では、広告サーバ３００またはコンテンツサーバ４００に発言権を付与し、ネットワーク５００を介して端末装置１００Ａ〜１００Ｃに対し、広告サーバ３００またはコンテンツサーバ４００にて選択された広告またはコンテンツを配信する。【選択図】図１
2006054656.tif 000002
【特許請求の範囲】
【請求項１】
ネットワークに接続され、ＰＴＴ通信時の発言権を獲得するためのＰＴＴボタンを具備する複数の端末装置と、前記ネットワークに接続され、広告を管理する広告サーバと、前記ネットワークに接続され、コンテンツを管理するコンテンツサーバと、前記ネットワークに接続され、ＰＴＴ通信時の発言権の制御を行うＰＴＴ通信サーバとを有してなるＰＴＴ通信システムにおいて、
前記ＰＴＴ通信サーバは、
前記複数の端末装置のそれぞれにおける前記ＰＴＴボタンの押下状態を監視する端末状態監視手段と、
前記複数の端末装置のいずれかで前記ＰＴＴボタンが押下されている状態では、前記ＰＴＴボタンが押下された端末装置に発言権を付与し、前記ＰＴＴボタンが押下された端末装置から前記ネットワークを介して送信されてきた通信データを他の端末装置に対して前記ネットワークを介して一方的に転送し、また、前記複数の端末装置のいずれでも前記ＰＴＴボタンが押下されていない状態では、前記広告サーバまたは前記コンテンツサーバに発言権を付与する発言権制御手段と、
前記広告サーバまたは前記コンテンツサーバに発言権が付与された場合に、前記広告サーバまたは前記コンテンツサーバにて選択された広告またはコンテンツを、前記ネットワークを介して前記複数の端末装置に対して配信する配信制御手段とを具備するＰＴＴ通信システム。
【請求項２】
前記複数の端末装置のそれぞれは、
自己の端末装置の現在位置の位置情報を算出する位置情報算出手段と、
自己の端末装置における前記ＰＴＴボタンの押下状態と、自己の端末装置の現在位置の位置情報とを、前記ネットワークを介して前記ＰＴＴ通信サーバに通知する端末状態通知手段とをさらに具備し、
前記ＰＴＴ通信サーバは、
前記複数の端末装置をそれぞれ使用するユーザのプロファイル情報を管理する管理手段をさらに具備し、
前記配信制御手段は、前記広告サーバまたは前記コンテンツサーバに発言権が付与された場合に、前記複数の端末装置をそれぞれ使用するユーザのプロファイル情報と、前記複数の端末装置のそれぞれの位置情報とを、前記広告サーバまたは前記コンテンツサーバのうち発言権が付与されたサーバに前記ネットワークを介して送信し、
前記広告サーバは、
前記ＰＴＴ通信サーバから発言権が付与された場合に、前記複数の端末装置をそれぞれ使用するユーザのプロファイル情報と、前記複数の端末装置のそれぞれの位置情報と、現在時刻情報とのいずれか１つ以上に基づいて、前記複数の端末装置に配信する広告を選択し、選択した広告を前記ネットワークを介して前記ＰＴＴ通信サーバに送信する広告選択手段を具備し、
前記コンテンツサーバは、
前記ＰＴＴ通信サーバから発言権が付与された場合に、前記複数の端末装置をそれぞれ使用するユーザのプロファイル情報と、前記複数の端末装置のそれぞれの位置情報と、現在時刻情報とのいずれか１つ以上に基づいて、前記複数の端末装置に配信するコンテンツを選択し、選択したコンテンツを前記ネットワークを介して前記ＰＴＴ通信サーバに送信するコンテンツ選択手段を具備する、請求項１に記載のＰＴＴ通信システム。
【請求項３】
前記広告選択手段は、前記ＰＴＴ通信サーバから発言権が付与された場合に、前記複数の端末装置に共通に広告を選択し、
前記コンテンツ選択手段は、前記ＰＴＴ通信サーバから発言権が付与された場合に、前記複数の端末装置に共通にコンテンツを選択する、請求項２に記載のＰＴＴ通信システム。
【請求項４】
前記広告選択手段は、前記ＰＴＴ通信サーバから発言権が付与された場合に、前記複数の端末装置ごとに個別に広告を選択し、
前記コンテンツ選択手段は、前記ＰＴＴ通信サーバから発言権が付与された場合に、前記複数の端末装置ごとに個別にコンテンツを選択する、請求項２に記載のＰＴＴ通信システム。
【請求項５】
前記ＰＴＴ通信サーバは、
前記複数の端末装置への広告またはコンテンツの配信を制限する配信制限時間を管理する配信制限時間管理手段をさらに具備し、
前記配信制御手段は、前記複数の端末装置への広告またはコンテンツの配信時に、現在時刻が前記配信制限時間に該当している場合は、前記複数の端末装置への広告またはコンテンツの配信を制限する、請求項１から４のいずれか１項に記載のＰＴＴ通信システム。
【請求項６】
前記配信制限時間管理手段にて管理されている広告またはコンテンツの配信制限時間は、前記複数の端末装置により個別に設定されたものである、請求項５に記載のＰＴＴ通信システム。
【請求項７】
前記配信制限時間管理手段にて管理されている広告の配信制限時間は、前記広告サーバにより設定されたものであり、
前記配信制限時間管理手段にて管理されているコンテンツの配信制限時間は、前記コンテンツサーバにより設定されたものである、請求項５に記載のＰＴＴ通信システム。
【請求項８】
ネットワークに接続され、ＰＴＴ通信時の発言権を獲得するためのＰＴＴボタンを具備する複数の端末装置と、前記ネットワークに接続され、広告を管理する広告サーバと、前記ネットワークに接続され、ＰＴＴ通信時の発言権の制御を行うＰＴＴ通信サーバとを有してなるＰＴＴ通信システムにおいて、
前記ＰＴＴ通信サーバは、
前記複数の端末装置のそれぞれにおける前記ＰＴＴボタンの押下状態を監視する端末状態監視手段と、
前記複数の端末装置のいずれかで前記ＰＴＴボタンが押下されている状態では、前記ＰＴＴボタンが押下された端末装置に発言権を付与し、前記ＰＴＴボタンが押下された端末装置から前記ネットワークを介して送信されてきた通信データを他の端末装置に対して前記ネットワークを介して一方的に転送し、また、前記複数の端末装置のいずれでも前記ＰＴＴボタンが押下されていない状態では、前記広告サーバに発言権を付与する発言権制御手段と、
前記広告サーバに発言権が付与された場合に、前記広告サーバにて選択された広告を、前記ネットワークを介して前記複数の端末装置に対して配信する配信制御手段とを具備するＰＴＴ通信システム。
【請求項９】
前記複数の端末装置のそれぞれは、
自己の端末装置の現在位置の位置情報を算出する位置情報算出手段と、
自己の端末装置における前記ＰＴＴボタンの押下状態と、自己の端末装置の現在位置の位置情報とを、前記ネットワークを介して前記ＰＴＴ通信サーバに通知する端末状態通知手段とをさらに具備し、
前記ＰＴＴ通信サーバは、
前記複数の端末装置をそれぞれ使用するユーザのプロファイル情報を管理する管理手段をさらに具備し、
前記配信制御手段は、前記広告サーバに発言権が付与された場合に、前記複数の端末装置をそれぞれ使用するユーザのプロファイル情報と、前記複数の端末装置のそれぞれの位置情報とを、前記ネットワークを介して前記広告サーバに送信し、
前記広告サーバは、
前記ＰＴＴ通信サーバから発言権が付与された場合に、前記複数の端末装置をそれぞれ使用するユーザのプロファイル情報と、前記複数の端末装置のそれぞれの位置情報と、現在時刻情報とのいずれか１つ以上に基づいて、前記複数の端末装置に配信する広告を選択し、選択した広告を前記ネットワークを介して前記ＰＴＴ通信サーバに送信する広告選択手段を具備する、請求項８に記載のＰＴＴ通信システム。
【請求項１０】
前記広告選択手段は、前記ＰＴＴ通信サーバから発言権が付与された場合に、前記複数の端末装置に共通に広告を選択する、請求項９に記載のＰＴＴ通信システム。
【請求項１１】
前記広告選択手段は、前記ＰＴＴ通信サーバから発言権が付与された場合に、前記複数の端末装置ごとに個別に広告を選択する、請求項９に記載のＰＴＴ通信システム。
【請求項１２】
前記ＰＴＴ通信サーバは、
前記複数の端末装置への広告の配信を制限する配信制限時間を管理する配信制限時間管理手段をさらに具備し、
前記配信制御手段は、前記複数の端末装置への広告の配信時に、現在時刻が前記配信制限時間に該当している場合は、前記複数の端末装置への広告の配信を制限する、請求項８から１１のいずれか１項に記載のＰＴＴ通信システム。
【請求項１３】
前記配信制限時間管理手段にて管理されている広告の配信制限時間は、前記複数の端末装置により個別に設定されたものである、請求項１２に記載のＰＴＴ通信システム。
【請求項１４】
前記配信制限時間管理手段にて管理されている広告の配信制限時間は、前記広告サーバにより設定されたものである、請求項１２に記載のＰＴＴ通信システム。
【請求項１５】
ネットワークに接続され、ＰＴＴ通信時の発言権を獲得するためのＰＴＴボタンを具備する複数の端末装置と、前記ネットワークに接続され、コンテンツを管理するコンテンツサーバと、前記ネットワークに接続され、ＰＴＴ通信時の発言権の制御を行うＰＴＴ通信サーバとを有してなるＰＴＴ通信システムにおいて、
前記ＰＴＴ通信サーバは、
前記複数の端末装置のそれぞれにおける前記ＰＴＴボタンの押下状態を監視する端末状態監視手段と、
前記複数の端末装置のいずれかで前記ＰＴＴボタンが押下されている状態では、前記ＰＴＴボタンが押下された端末装置に発言権を付与し、前記ＰＴＴボタンが押下された端末装置から前記ネットワークを介して送信されてきた通信データを他の端末装置に対して前記ネットワークを介して一方的に転送し、また、前記複数の端末装置のいずれでも前記ＰＴＴボタンが押下されていない状態では、前記コンテンツサーバに発言権を付与する発言権制御手段と、
前記コンテンツサーバに発言権が付与された場合に、前記コンテンツサーバにて選択されたコンテンツを、前記ネットワークを介して前記複数の端末装置に対して配信する配信制御手段とを具備するＰＴＴ通信システム。
【請求項１６】
前記複数の端末装置のそれぞれは、
自己の端末装置の現在位置の位置情報を算出する位置情報算出手段と、
自己の端末装置における前記ＰＴＴボタンの押下状態と、自己の端末装置の現在位置の位置情報とを、前記ネットワークを介して前記ＰＴＴ通信サーバに通知する端末状態通知手段とをさらに具備し、
前記ＰＴＴ通信サーバは、
前記複数の端末装置をそれぞれ使用するユーザのプロファイル情報を管理する管理手段をさらに具備し、
前記配信制御手段は、前記コンテンツサーバに発言権が付与された場合に、前記複数の端末装置をそれぞれ使用するユーザのプロファイル情報と、前記複数の端末装置のそれぞれの位置情報とを、前記ネットワークを介して前記コンテンツサーバに送信し、
前記コンテンツサーバは、
前記ＰＴＴ通信サーバから発言権が付与された場合に、前記複数の端末装置をそれぞれ使用するユーザのプロファイル情報と、前記複数の端末装置のそれぞれの位置情報と、現在時刻情報とのいずれか１つ以上に基づいて、前記複数の端末装置に配信するコンテンツを選択し、選択したコンテンツを前記ネットワークを介して前記ＰＴＴ通信サーバに送信するコンテンツ選択手段を具備する、請求項１５に記載のＰＴＴ通信システム。
【請求項１７】
前記コンテンツ選択手段は、前記ＰＴＴ通信サーバから発言権が付与された場合に、前記複数の端末装置に共通にコンテンツを選択する、請求項１６に記載のＰＴＴ通信システム。
【請求項１８】
前記コンテンツ選択手段は、前記ＰＴＴ通信サーバから発言権が付与された場合に、前記複数の端末装置ごとに個別にコンテンツを選択する、請求項１６に記載のＰＴＴ通信システム。
【請求項１９】
前記ＰＴＴ通信サーバは、
前記複数の端末装置へのコンテンツの配信を制限する配信制限時間を管理する配信制限時間管理手段をさらに具備し、
前記配信制御手段は、前記複数の端末装置へのコンテンツの配信時に、現在時刻が前記配信制限時間に該当している場合は、前記複数の端末装置へのコンテンツの配信を制限する、請求項１５から１８のいずれか１項に記載のＰＴＴ通信システム。
【請求項２０】
前記配信制限時間管理手段にて管理されているコンテンツの配信制限時間は、前記複数の端末装置により個別に設定されたものである、請求項１９に記載のＰＴＴ通信システム。
【請求項２１】
前記配信制限時間管理手段にて管理されているコンテンツの配信制限時間は、前記コンテンツサーバにより設定されたものである、請求項１９に記載のＰＴＴ通信システム。
【請求項２２】
ネットワークに接続され、ＰＴＴ通信時の発言権を獲得するためのＰＴＴボタンを具備する複数の端末装置と、前記ネットワークに接続され、所定の設置場所に設置されたインターホンと、前記ネットワークに接続され、ＰＴＴ通信時の発言権の制御を行うＰＴＴ通信サーバとを有してなるＰＴＴ通信システムにおいて、
前記ＰＴＴ通信サーバは、
前記複数の端末装置のそれぞれにおける前記ＰＴＴボタンの押下状態を監視する端末状態監視手段と、
前記複数の端末装置のいずれかで前記ＰＴＴボタンが押下されている状態では、前記ＰＴＴボタンが押下された端末装置に発言権を付与し、前記ＰＴＴボタンが押下された端末装置から前記ネットワークを介して送信されてきた通信データを他の端末装置に対して前記ネットワークを介して一方的に転送し、また、前記複数の端末装置のいずれでも前記ＰＴＴボタンが押下されていない状態では、前記インターホンに発言権を付与し、前記インターホンから前記ネットワークを介して送信されてきた通信データを前記複数の端末装置に対して前記ネットワークを介して一方的に転送する発言権制御手段とを具備するＰＴＴ通信システム。
【請求項２３】
ネットワークに接続され、ＰＴＴ通信時の発言権を獲得するためのＰＴＴボタンを具備する複数の端末装置と、前記ネットワークに接続され、広告を管理する広告サーバと、前記ネットワークに接続され、コンテンツを管理するコンテンツサーバと、前記ネットワークに接続され、ＰＴＴ通信時の発言権の制御を行うＰＴＴ通信サーバとを有してなるＰＴＴ通信システムによるＰＴＴ通信方法おいて、
前記複数の端末装置のそれぞれが、自己の端末装置における前記ＰＴＴボタンの押下状態を、前記ネットワークを介して前記ＰＴＴ通信サーバに通知するステップと、
前記ＰＴＴ通信サーバが、前記複数の端末装置のいずれでも前記ＰＴＴボタンが押下されていない状態では、前記広告サーバまたは前記コンテンツサーバに発言権を付与するステップと、
前記広告サーバまたは前記コンテンツサーバのうち発言権を付与されたサーバが、広告またはコンテンツを選択し、選択した広告またはコンテンツを前記ネットワークを介して前記ＰＴＴ通信サーバに送信するステップと、
前記ＰＴＴ通信サーバが、前記広告サーバまたは前記コンテンツサーバのうち発言権を付与したサーバにて選択された広告またはコンテンツを、前記ネットワークを介して前記複数の端末装置に対して配信するステップとを有するＰＴＴ通信方法。
【請求項２４】
前記複数の端末装置のそれぞれが、自己の端末装置の現在位置の位置情報を算出し、算出した位置情報を、前記ネットワークを介して前記ＰＴＴ通信サーバに通知するステップと、
前記ＰＴＴ通信サーバが、前記広告サーバまたは前記コンテンツサーバに発言権を付与した場合に、前記複数の端末装置をそれぞれ使用するユーザのプロファイル情報と、前記複数の端末装置のそれぞれの位置情報とを、前記広告サーバまたは前記コンテンツサーバのうち発言権を付与したサーバに前記ネットワークを介して送信するステップとをさらに有し、
前記広告サーバまたは前記コンテンツサーバのうち発言権を付与されたサーバが広告またはコンテンツを選択するステップでは、
前記広告サーバまたは前記コンテンツサーバのうち発言権を付与されたサーバが、前記複数の端末装置をそれぞれ使用するユーザのプロファイル情報と、前記複数の端末装置のそれぞれの位置情報と、現在時刻情報とのいずれか１つ以上に基づいて、前記複数の端末装置に配信する広告またはコンテンツを選択する、請求項２３に記載のＰＴＴ通信方法。
【請求項２５】
前記広告サーバまたは前記コンテンツサーバのうち発言権を付与されたサーバが広告またはコンテンツを選択するステップでは、
前記広告サーバまたは前記コンテンツサーバのうち発言権を付与されたサーバが、前記複数の端末装置に共通に広告またはコンテンツを選択する、請求項２４に記載のＰＴＴ通信方法。
【請求項２６】
前記広告サーバまたは前記コンテンツサーバのうち発言権を付与されたサーバが広告またはコンテンツを選択するステップでは、
前記広告サーバまたは前記コンテンツサーバのうち発言権を付与されたサーバが、前記複数の端末装置ごとに個別に広告またはコンテンツを選択する、請求項２４に記載のＰＴＴ通信方法。
【請求項２７】
前記ＰＴＴ通信サーバが広告またはコンテンツを前記複数の端末装置に対して配信するステップでは、
前記ＰＴＴ通信サーバが、前記複数の端末装置への広告またはコンテンツの配信を制限する配信制限時間に現在時刻が該当している場合は、前記複数の端末装置への広告またはコンテンツの配信を制限する、請求項２３から２６のいずれか１項に記載のＰＴＴ通信方法。
【請求項２８】
広告またはコンテンツの配信制限時間は、前記複数の端末装置により個別に設定されたものである、請求項２７に記載のＰＴＴ通信方法。
【請求項２９】
広告の配信制限時間は、前記広告サーバにより設定されたものであり、
コンテンツの配信制限時間は、前記コンテンツサーバにより設定されたものである、請求項２７に記載のＰＴＴ通信方法。
【請求項３０】
ネットワークに接続され、ＰＴＴ通信時の発言権を獲得するためのＰＴＴボタンを具備する複数の端末装置と、前記ネットワークに接続され、広告を管理する広告サーバと、前記ネットワークに接続され、ＰＴＴ通信時の発言権の制御を行うＰＴＴ通信サーバとを有してなるＰＴＴ通信システムによるＰＴＴ通信方法おいて、
前記複数の端末装置のそれぞれが、自己の端末装置における前記ＰＴＴボタンの押下状態を、前記ネットワークを介して前記ＰＴＴ通信サーバに通知するステップと、
前記ＰＴＴ通信サーバが、前記複数の端末装置のいずれでも前記ＰＴＴボタンが押下されていない状態では、前記広告サーバに発言権を付与するステップと、
前記広告サーバが、前記ＰＴＴ通信サーバから発言権が付与された場合に、広告を選択し、選択した広告を前記ネットワークを介して前記ＰＴＴ通信サーバに送信するステップと、
前記ＰＴＴ通信サーバが、前記広告サーバにて選択された広告を、前記ネットワークを介して前記複数の端末装置に対して配信するステップとを有するＰＴＴ通信方法。
【請求項３１】
前記複数の端末装置のそれぞれが、自己の端末装置の現在位置の位置情報を算出し、算出した位置情報を、前記ネットワークを介して前記ＰＴＴ通信サーバに通知するステップと、
前記ＰＴＴ通信サーバが、前記広告サーバに発言権を付与した場合に、前記複数の端末装置をそれぞれ使用するユーザのプロファイル情報と、前記複数の端末装置のそれぞれの位置情報とを、前記広告サーバに前記ネットワークを介して送信するステップとをさらに有し、
前記広告サーバが広告を選択するステップでは、
前記広告サーバが、前記複数の端末装置をそれぞれ使用するユーザのプロファイル情報と、前記複数の端末装置のそれぞれの位置情報と、現在時刻情報とのいずれか１つ以上に基づいて、前記複数の端末装置に配信する広告を選択する、請求項３０に記載のＰＴＴ通信方法。
【請求項３２】
前記広告サーバが広告を選択するステップでは、
前記広告サーバが、前記複数の端末装置に共通に広告を選択する、請求項３１に記載のＰＴＴ通信方法。
【請求項３３】
前記広告サーバが広告を選択するステップでは、
前記広告サーバが、前記複数の端末装置ごとに個別に広告を選択する、請求項３１に記載のＰＴＴ通信方法。
【請求項３４】
前記ＰＴＴ通信サーバが広告を前記複数の端末装置に対して配信するステップでは、
前記ＰＴＴ通信サーバが、前記複数の端末装置への広告の配信を制限する配信制限時間に現在時刻が該当している場合は、前記複数の端末装置への広告の配信を制限する、請求項３０から３３のいずれか１項に記載のＰＴＴ通信方法。
【請求項３５】
広告の配信制限時間は、前記複数の端末装置により個別に設定されたものである、請求項３４に記載のＰＴＴ通信方法。
【請求項３６】
広告の配信制限時間は、前記広告サーバにより設定されたものである、請求項３４に記載のＰＴＴ通信方法。
【請求項３７】
ネットワークに接続され、ＰＴＴ通信時の発言権を獲得するためのＰＴＴボタンを具備する複数の端末装置と、前記ネットワークに接続され、コンテンツを管理するコンテンツサーバと、前記ネットワークに接続され、ＰＴＴ通信時の発言権の制御を行うＰＴＴ通信サーバとを有してなるＰＴＴ通信システムによるＰＴＴ通信方法おいて、
前記複数の端末装置のそれぞれが、自己の端末装置における前記ＰＴＴボタンの押下状態を、前記ネットワークを介して前記ＰＴＴ通信サーバに通知するステップと、
前記ＰＴＴ通信サーバが、前記複数の端末装置のいずれでも前記ＰＴＴボタンが押下されていない状態では、前記コンテンツサーバに発言権を付与するステップと、
前記コンテンツサーバが、前記ＰＴＴ通信サーバから発言権が付与された場合に、コンテンツを選択し、選択したコンテンツを前記ネットワークを介して前記ＰＴＴ通信サーバに送信するステップと、
前記ＰＴＴ通信サーバが、前記コンテンツサーバにて選択されたコンテンツを、前記ネットワークを介して前記複数の端末装置に対して配信するステップとを有するＰＴＴ通信方法。
【請求項３８】
前記複数の端末装置のそれぞれが、自己の端末装置の現在位置の位置情報を算出し、算出した位置情報を、前記ネットワークを介して前記ＰＴＴ通信サーバに通知するステップと、
前記ＰＴＴ通信サーバが、前記コンテンツサーバに発言権を付与した場合に、前記複数の端末装置をそれぞれ使用するユーザのプロファイル情報と、前記複数の端末装置のそれぞれの位置情報とを、前記コンテンツサーバに前記ネットワークを介して送信するステップとをさらに有し、
前記コンテンツサーバがコンテンツを選択するステップでは、
前記コンテンツサーバが、前記複数の端末装置をそれぞれ使用するユーザのプロファイル情報と、前記複数の端末装置のそれぞれの位置情報と、現在時刻情報とのいずれか１つ以上に基づいて、前記複数の端末装置に配信するコンテンツを選択する、請求項３７に記載のＰＴＴ通信方法。
【請求項３９】
前記コンテンツサーバがコンテンツを選択するステップでは、
前記コンテンツサーバが、前記複数の端末装置に共通にコンテンツを選択する、請求項３８に記載のＰＴＴ通信方法。
【請求項４０】
前記コンテンツサーバがコンテンツを選択するステップでは、
前記コンテンツサーバが、前記複数の端末装置ごとに個別にコンテンツを選択する、請求項３８に記載のＰＴＴ通信方法。
【請求項４１】
前記ＰＴＴ通信サーバがコンテンツを前記複数の端末装置に対して配信するステップでは、
前記ＰＴＴ通信サーバが、前記複数の端末装置へのコンテンツの配信を制限する配信制限時間に現在時刻が該当している場合は、前記複数の端末装置へのコンテンツの配信を制限する、請求項３７から４０のいずれか１項に記載のＰＴＴ通信方法。
【請求項４２】
コンテンツの配信制限時間は、前記複数の端末装置により個別に設定されたものである、請求項４１に記載のＰＴＴ通信方法。
【請求項４３】
コンテンツの配信制限時間は、前記コンテンツサーバにより設定されたものである、請求項４１に記載のＰＴＴ通信方法。
【請求項４４】
ネットワークに接続され、ＰＴＴ通信時の発言権を獲得するためのＰＴＴボタンを具備する複数の端末装置と、前記ネットワークに接続され、所定の設置場所に設置されたインターホンと、前記ネットワークに接続され、ＰＴＴ通信時の発言権の制御を行うＰＴＴ通信サーバとを有してなるＰＴＴ通信システムによるＰＴＴ通信方法おいて、
前記複数の端末装置のそれぞれが、自己の端末装置における前記ＰＴＴボタンの押下状態を、前記ネットワークを介して前記ＰＴＴ通信サーバに通知するステップと、
前記ＰＴＴ通信サーバが、前記複数の端末装置のいずれでも前記ＰＴＴボタンが押下されていない状態では、前記インターホンに発言権を付与するステップと、
前記ＰＴＴ通信サーバが、前記インターホンに発言権を付与した場合、前記インターホンから前記ネットワークを介して送信されてきた通信データを前記複数の端末装置に対して前記ネットワークを介して一方的に転送するステップとを有するＰＴＴ通信方法。
【請求項４５】
ＰＴＴ通信時の発言権の制御を行うＰＴＴ通信サーバにおいて、
ＰＴＴボタンを具備する複数の端末装置のそれぞれにおける前記ＰＴＴボタンの押下状態を、ネットワークを介して監視する端末状態監視手段と、
前記複数の端末装置のいずれかで前記ＰＴＴボタンが押下されている状態では、前記ＰＴＴボタンが押下された端末装置に発言権を付与し、前記ＰＴＴボタンが押下された端末装置から前記ネットワークを介して送信されてきた通信データを他の端末装置に対して前記ネットワークを介して一方的に転送し、また、前記複数の端末装置のいずれでも前記ＰＴＴボタンが押下されていない状態では、前記ネットワークに接続されている広告サーバまたはコンテンツサーバに発言権を付与する発言権制御手段と、
前記広告サーバまたは前記コンテンツサーバに発言権が付与された場合に、前記広告サーバまたは前記コンテンツサーバにて選択された広告またはコンテンツを、前記ネットワークを介して前記複数の端末装置に対して配信する配信制御手段とを具備するＰＴＴ通信サーバ。
【請求項４６】
前記複数の端末装置をそれぞれ使用するユーザのプロファイル情報を管理する管理手段をさらに具備し、
前記端末状態監視手段は、前記複数の端末装置のそれぞれの位置情報を、前記ネットワークを介して監視し、
前記配信制御手段は、前記広告サーバまたは前記コンテンツサーバに発言権が付与された場合に、前記複数の端末装置をそれぞれ使用するユーザのプロファイル情報と、前記複数の端末装置のそれぞれの位置情報とを、前記広告サーバまたは前記コンテンツサーバのうち発言権が付与されたサーバに前記ネットワークを介して送信し、送信した情報に基づいて広告またはコンテンツを選択させる、請求項４５に記載のＰＴＴ通信サーバ。
【請求項４７】
前記配信制御手段は、前記広告サーバまたは前記コンテンツサーバにて前記複数の端末装置に共通に選択された広告またはコンテンツを、前記ネットワークを介して前記複数の端末装置に対して配信する、請求項４６に記載のＰＴＴ通信サーバ。
【請求項４８】
前記配信制御手段は、前記広告サーバまたは前記コンテンツサーバにて前記複数の端末装置ごとに個別に選択された広告またはコンテンツを、前記ネットワークを介して前記複数の端末装置に対して配信する、請求項４６に記載のＰＴＴ通信サーバ。
【請求項４９】
前記複数の端末装置への広告またはコンテンツの配信を制限する配信制限時間を管理する配信制限時間管理手段をさらに具備し、
前記配信制御手段は、前記複数の端末装置への広告またはコンテンツの配信時に、現在時刻が前記配信制限時間に該当している場合は、前記複数の端末装置への広告またはコンテンツの配信を制限する、請求項４５から４８のいずれか１項に記載のＰＴＴ通信サーバ。
【請求項５０】
前記配信制限時間管理手段にて管理されている広告またはコンテンツの配信制限時間は、前記複数の端末装置により個別に設定されたものである、請求項４９に記載のＰＴＴ通信サーバ。
【請求項５１】
前記配信制限時間管理手段にて管理されている広告の配信制限時間は、前記広告サーバにより設定されたものであり、
前記配信制限時間管理手段にて管理されているコンテンツの配信制限時間は、前記コンテンツサーバにより設定されたものである、請求項４９に記載のＰＴＴ通信サーバ。
【請求項５２】
ＰＴＴ通信時の発言権の制御を行うＰＴＴ通信サーバにおいて、
ＰＴＴボタンを具備する複数の端末装置のそれぞれにおける前記ＰＴＴボタンの押下状態を、ネットワークを介して監視する端末状態監視手段と、
前記複数の端末装置のいずれかで前記ＰＴＴボタンが押下されている状態では、前記ＰＴＴボタンが押下された端末装置に発言権を付与し、前記ＰＴＴボタンが押下された端末装置から前記ネットワークを介して送信されてきた通信データを他の端末装置に対して前記ネットワークを介して一方的に転送し、また、前記複数の端末装置のいずれでも前記ＰＴＴボタンが押下されていない状態では、前記ネットワークに接続されているインターホンに発言権を付与し、インターホンから前記ネットワークを介して送信されてきた通信データを前記複数の端末装置に対して前記ネットワークを介して一方的に転送する配信制御手段とを具備するＰＴＴ通信サーバ。
【発明の詳細な説明】
【技術分野】
【０００１】
本発明は、ＰＴＴ（Push-to-Talk）通信を行うＰＴＴ通信システム、ＰＴＴ通信方法、ＰＴＴ通信サーバに関する。
【背景技術】
【０００２】
近年、端末装置を使用してＰＴＴ通信を行うＰＴＴ通信システムが多数提案されている（例えば、特許文献１参照）。なお、ＰＴＴ通信システムの中で、端末装置として携帯電話を使用するものは、特にＰＯＣ（PTT over Cellular）通信システムと称されている。
【０００３】
ＰＴＴ通信システムにおいては、任意のグループのあるユーザがＰＴＴ通信を開始しようとする場合、まず、端末装置からＰＴＴ通信サーバにログオンし、同一グループに属する他の端末装置を確認してから、ＰＴＴ通信サーバ経由で他の端末装置に対してＰＴＴ通信への参加要請を行う。そして、その参加要請に対して他の端末装置が参加表明をした場合には、ＰＴＴ通信への参加要請を行った端末装置とその参加要請に対して参加表明を行った端末装置とがＰＴＴ通信に参加して通信データの相互通信を開始する。なお、ＰＴＴ通信においては、通信相手を１人として、１対１で通信を行うことも可能であるが、通信相手を複数人（Ｎ人）として、１対Ｎで通信を行うことも可能である。
【０００４】
ＰＴＴ通信時には、あるユーザが端末装置のＰＴＴボタンを押下することによってＰＴＴ通信サーバから発言権が付与されると、そのユーザのみが、トランシーバのように、音声および／または画像からなる通信データをＰＴＴ通信サーバ経由で他の端末装置に対して一方的に送信することができる。また、発言権が付与されていたユーザがＰＴＴボタンの押下を解除し、他のユーザが端末装置のＰＴＴボタンを押下した場合には、ＰＴＴボタンを押下した他のユーザに対してＰＴＴ通信サーバから発言権が付与されることになる。
【特許文献１】特開平０７−０７４６６９号公報
【発明の開示】
【発明が解決しようとする課題】
【０００５】
しかしながら、従来のＰＴＴ通信システムにおいては、ＰＴＴボタンを装備している端末装置のみがＰＴＴ通信に参加することができ、ＰＴＴボタンを装備していないサーバなどはＰＴＴ通信に参加することができないという課題があった。
【０００６】
そこで、本発明の目的は、ＰＴＴボタンを装備していないサーバなどもＰＴＴ通信に参加することができるＰＴＴ通信システム、ＰＴＴ通信方法、ＰＴＴ通信サーバを提供することにある。
【課題を解決するための手段】
【０００７】
上記目的を達成するために本発明の第１の態様によるＰＴＴ通信システムは、
ネットワークに接続され、ＰＴＴ通信時の発言権を獲得するためのＰＴＴボタンを具備する複数の端末装置と、前記ネットワークに接続され、広告を管理する広告サーバと、前記ネットワークに接続され、コンテンツを管理するコンテンツサーバと、前記ネットワークに接続され、ＰＴＴ通信時の発言権の制御を行うＰＴＴ通信サーバとを有してなるＰＴＴ通信システムにおいて、
前記ＰＴＴ通信サーバは、
前記複数の端末装置のそれぞれにおける前記ＰＴＴボタンの押下状態を監視する端末状態監視手段と、
前記複数の端末装置のいずれかで前記ＰＴＴボタンが押下されている状態では、前記ＰＴＴボタンが押下された端末装置に発言権を付与し、前記ＰＴＴボタンが押下された端末装置から前記ネットワークを介して送信されてきた通信データを他の端末装置に対して前記ネットワークを介して一方的に転送し、また、前記複数の端末装置のいずれでも前記ＰＴＴボタンが押下されていない状態では、前記広告サーバまたは前記コンテンツサーバに発言権を付与する発言権制御手段と、
前記広告サーバまたは前記コンテンツサーバに発言権が付与された場合に、前記広告サーバまたは前記コンテンツサーバにて選択された広告またはコンテンツを、前記ネットワークを介して前記複数の端末装置に対して配信する配信制御手段とを具備することを特徴とするものである。
【０００８】
この構成によれば、複数の端末装置のいずれでもＰＴＴボタンが押下されていない状態では、ＰＴＴボタンを装備していない広告サーバまたはコンテンツサーバに発言権が付与され、広告サーバまたはコンテンツサーバで選択された広告またはコンテンツが複数の端末装置に配信される。よって、ＰＴＴボタンを装備していない広告サーバまたはコンテンツサーバでもＰＴＴ通信に参加することができる。
【０００９】
上記目的を達成するために本発明の第２の態様によるＰＴＴ通信システムは、
ネットワークに接続され、ＰＴＴ通信時の発言権を獲得するためのＰＴＴボタンを具備する複数の端末装置と、前記ネットワークに接続され、所定の設置場所に設置されたインターホンと、前記ネットワークに接続され、ＰＴＴ通信時の発言権の制御を行うＰＴＴ通信サーバとを有してなるＰＴＴ通信システムにおいて、
前記ＰＴＴ通信サーバは、
前記複数の端末装置のそれぞれにおける前記ＰＴＴボタンの押下状態を監視する端末状態監視手段と、
前記複数の端末装置のいずれかで前記ＰＴＴボタンが押下されている状態では、前記ＰＴＴボタンが押下された端末装置に発言権を付与し、前記ＰＴＴボタンが押下された端末装置から前記ネットワークを介して送信されてきた通信データを他の端末装置に対して前記ネットワークを介して一方的に転送し、また、前記複数の端末装置のいずれでも前記ＰＴＴボタンが押下されていない状態では、前記インターホンに発言権を付与し、前記インターホンから前記ネットワークを介して送信されてきた通信データを前記複数の端末装置に対して前記ネットワークを介して一方的に転送する発言権制御手段とを具備することを特徴とするものである。
【００１０】
この構成によれば、複数の端末装置のいずれでもＰＴＴボタンが押下されていない状態では、ＰＴＴボタンを装備していないインターホンに発言権が付与され、インターホンからの通信データが複数の端末装置に配信される。よって、ＰＴＴボタンを装備していないインターホンでもＰＴＴ通信に参加することができる。
【発明の効果】
【００１１】
以上説明したように本発明によれば、ＰＴＴボタンを装備していない広告サーバまたはコンテンツサーバであっても、ＰＴＴ通信に参加して広告またはコンテンツを配信することができ、また、ＰＴＴボタンを装備していないインターホンであっても、ＰＴＴ通信に参加して通信データを送信することができるという効果が得られる。
【発明を実施するための最良の形態】
【００１２】
以下に、本発明を実施するための最良の形態について図面を参照して説明する。
（第１の実施形態）
図１を参照すると、本発明の第１の実施形態のＰＴＴ通信システムは、ＰＴＴボタン１０２−１を具備する端末装置１００Ａ〜１００Ｃと、ＰＴＴ通信サーバ２００と、広告サーバ３００と、コンテンツサーバ４００と、これらを相互に接続するネットワーク５００とを有している。なお、図１においては、広告サーバ３００およびコンテンツサーバ４００の２つのサーバが設けられているが、本実施形態はこれに限らず、広告サーバ３００およびコンテンツサーバ４００のいずれか１つのサーバを設けていれば良い。また、図１においては、端末装置１００Ａ〜１００Ｃ、広告サーバ３００、およびコンテンツサーバ４００は、相互にＰＴＴ通信を行うＰＴＴ通信グループを形成しているものとする。
【００１３】
端末装置１００Ａ〜１００Ｃは、ユーザがＰＴＴ通信を行うために使用する携帯電話等であり、発言権を獲得したいユーザによって押下されるＰＴＴボタン１０２−１を具備している。
【００１４】
ＰＴＴ通信サーバ２００は、端末装置１００Ａ〜１００ＣのいずれかにてＰＴＴボタン１０２−１が押下された状態では、ＰＴＴボタン１０２−１が押下された端末装置に対し、ＰＴＴボタン１０２−１の押下を解除するまで発言権を付与し、ＰＴＴボタン１０２−１が押下された端末装置に入力された音声および／または画像からなる通信データを、ネットワーク１００を介して他の端末装置に対して一方的に転送する。一方、端末装置１００Ａ〜１００ＣのいずれでもＰＴＴボタン１０２−１が押下されていない状態では、広告サーバ３００またはコンテンツサーバ４００に発言権を付与し、ネットワーク５００を介して端末装置１００Ａ〜１００Ｃに対し、広告サーバ３００またはコンテンツサーバ４００にて選択された広告またはコンテンツであって音声および／または画像からなるものを配信する。
【００１５】
広告サーバ３００は、ＰＴＴ通信サーバ２００からネットワーク５００を介して端末装置１００Ａ〜１００Ｃに対して配信する、音声および／または画像からなる広告を管理する。なお、広告サーバ３００には、ＰＴＴボタンは装備されていない。
【００１６】
コンテンツサーバ４００は、ＰＴＴ通信サーバ２００からネットワーク５００を介して端末装置１００Ａ〜１００Ｃに対して配信する、音声および／または画像からなるコンテンツを管理する。コンテンツとは、音楽、静止画、動画、ゲーム等、端末装置１００Ａ〜１００Ｃへ配信可能なデータ全般を指すものとする。なお、コンテンツサーバ４００には、ＰＴＴボタンは装備されていない。
【００１７】
ここで、端末装置１００Ａ〜１００Ｃ、ＰＴＴ通信サーバ２００、広告サーバ３００、およびコンテンツサーバ４００の内部構成について図２〜図５を用いて説明する。
【００１８】
図２を参照すると、端末装置１００Ａ〜１００Ｃは、通信部１０１と、ＰＴＴボタン１０２−１などの入力キーからなる操作部１０２と、マイク１０３と、スピーカ１０４と、カメラ１０５と、液晶表示部１０６と、位置情報算出部１０７と、端末状態通知部１０８とを有している。
【００１９】
通信部１０１は、ネットワーク５００とのインターフェース部分である。
【００２０】
ＰＴＴボタン１０２−１はユーザが発言権を獲得したい場合に押下するものであり、マイク１０３は音声を集音するものであり、スピーカ１０４は音声を出力するものであり、カメラ１０５は画像を撮影するものであり、液晶表示部１０６は画像を表示出力するものである。例えば、端末装置１００Ａでは、端末装置１００Ａが発言権を獲得している状態では、カメラ１０５で撮影された画像やマイク１０３で集音された音声からなる通信データを、通信部１０１からネットワーク５００を介して、ＰＴＴ通信グループに属する端末装置１００Ｂ，１００Ｃに送信する。また、端末装置１００Ａでは、ＰＴＴ通信グループに属する他の装置（端末装置１００Ｂ，１００Ｃ、広告サーバ３００、コンテンツサーバ４００）が発言権を獲得している状態では、当該他の装置からネットワーク５００を介して通信部１０１にて受信した画像や音声からなる通信データを、液晶表示部１０６、スピーカ１０４から出力する。
【００２１】
位置情報算出部１０７は、現在位置の緯度、経度などの位置情報を算出する。なお、位置情報算出部１０７は、位置情報の算出方法として公知技術を用いることができ、例えば、ＧＰＳ（Global Positioning System）衛星から受信されたＧＰＳデータに基づいて現在位置の位置情報を算出する方法や、無線基地局（不図示）との間の距離データに基づいて現在位置の位置情報を算出する方法等が考えられる。
【００２２】
端末状態通知部１０８は、自己の端末装置の状態に関する情報、すなわち、ＰＴＴボタン１０２−１が押下されているか否かの情報、位置情報算出部１０７にて算出された位置情報等を、通信部１０１からネットワーク５００を介してＰＴＴ通信サーバ２００に送信する。
【００２３】
図３を参照すると、ＰＴＴ通信サーバ２００は、通信部２０１と、グループリスト管理部２０２と、端末状態監視部２０３と、発言権制御部２０４と、広告・コンテンツ配信制御部２０５と、時計部２０６と、配信制限時間管理部２０７とを有している。
【００２４】
通信部２０１は、ネットワーク５００とのインターフェース部分である。
【００２５】
グループリスト管理部２０２は、ＰＴＴ通信グループのグループリストを管理する。また、ＰＴＴ通信グループを形成する装置の追加、削除等を行う。さらに、端末装置１００Ａ〜１００Ｃを使用するユーザのプロファイル（氏名、年齢、性別、趣味、職業等）の情報、ユーザが広告の配信を許可しているかの情報、ユーザがコンテンツの配信を希望しているかの情報、ユーザに配信するものとして広告とコンテンツの双方がある場合にユーザが広告とコンテンツのどちらの配信を希望しているかの情報などを管理している。ＰＴＴ通信サーバ２００内の他の構成要素は、グループリスト管理部２０２に管理されている情報に基づいて、ＰＴＴ通信グループに属する端末装置１００Ａ〜１００Ｃ、広告サーバ３００、コンテンツサーバ４００等を判断することになる。
【００２６】
端末状態監視部２０３は、端末装置１００Ａ〜１００Ｃのそれぞれの端末状態通知部１０８からネットワーク５００を介して通信部２０１に送信されてきた情報に基づいて、端末装置１００Ａ〜１００Ｃの状態、すなわち、端末装置１００Ａ〜１００ＣにてＰＴＴボタン１０２−１が押下されているか、端末装置１００Ａ〜１００Ｃの現在位置などを監視する。
【００２７】
発言権制御部２０４は、ＰＴＴ通信グループに属する端末装置１００Ａ〜１００ＣのいずれかでＰＴＴボタン１０２−１が押下されているかを、端末状態監視部２０３による監視結果に基づき判断し、その判断結果に基づいて発言権を制御する。
【００２８】
例えば、発言権制御部２０４は、端末装置１００ＡでＰＴＴボタン１０２−１が押下されている状態では、端末装置１００Ａに対してＰＴＴボタン１０２−１の押下を解除するまで発言権を付与する。この場合、端末装置１００ＡでＰＴＴボタン１０２−１が押下されている間、端末装置１００Ａからネットワーク５００を介して送信されてきた通信データを、ネットワーク５００を介して端末装置１００Ｂ，１００Ｃに対して一方的に転送し、端末装置１００Ｂ，１００Ｃによる通信データの送信を禁止する。
【００２９】
一方、発言権制御部２０４は、端末装置１００Ａ〜１００ＣのいずれでもＰＴＴボタン１０２−１が押下されていない状態では、広告サーバ３００またはコンテンツサーバ４００に発言権を付与し、その旨を広告・コンテンツ配信制御部２０５に通知する。このとき、ＰＴＴ通信グループに広告サーバ３００またはコンテンツサーバ４００のいずれか１つが属している場合は、そのサーバを選択して発言権を付与する。ただし、図１に示すように、ＰＴＴ通信グループに広告サーバ３００およびコンテンツサーバ４００の双方が属している場合は、グループリスト管理部２０２に管理されている情報に基づいて、端末装置１００Ａ〜１００Ｃの個々のユーザについて広告とコンテンツのどちらの配信を希望しているかを判断し、さらに、配信を希望しているユーザの数が広告とコンテンツでどちらが多いか判断し、ユーザの数が多い方のサーバを選択する。配信を希望しているユーザの数が広告とコンテンツで同数の場合は、予めどちらか一方のサーバを選択するかを決めておきそのサーバを選択する。あるいは、端末装置１００Ａ〜１００Ｃの個々のユーザに対して広告とコンテンツのどちらの配信を希望するか通信部１０１を介して問い合わせて、配信を希望するユーザの数が広告とコンテンツでどちらが多いか判断し、ユーザの数が多い方のサーバを選択する。配信を希望するユーザの数が広告とコンテンツで同数の場合は、予めどちらか一方のサーバを選択するかを決めておきそのサーバを選択する。
【００３０】
広告・コンテンツ配信制御部２０５は、広告サーバ３００またはコンテンツサーバ４００に発言権を付与した旨が発言権制御部２０４から通知された場合、発言権が付与された広告サーバ３００またはコンテンツサーバ４００に対し、端末装置１００Ａ〜１００Ｃのユーザにとって最適な広告またはコンテンツを選択する際の判断材料となる情報を、通信部２０１からネットワーク５００を介して送信する。広告またはコンテンツを選択する際の判断材料となる情報とは、グループリスト管理部２０２に管理されているユーザのプロファイルの情報や、端末状態監視部２０３で監視されている端末装置１００Ａ〜１００Ｃの位置情報などである。
【００３１】
さらに、広告・コンテンツ配信制御部２０５は、発言権が付与された広告サーバ３００またはコンテンツサーバ４００により選択された広告またはコンテンツがネットワーク５００を介して通信部２０１に送信されてきた場合は、選択された広告またはコンテンツを、通信部２０１からネットワーク５００を介して端末装置１００Ａ〜１００Ｃに対して配信する。このとき、端末装置１００Ａ〜１００Ｃに対して配信する広告またはコンテンツは、個々の端末装置１００Ａ〜１００Ｃに共通に選択されたものであっても良いし、個々の端末装置１００Ａ〜１００Ｃごとに個別に選択されたものであっても良い。
【００３２】
配信制限時間管理部２０７は、端末装置１００Ａ〜１００Ｃへの広告またはコンテンツの配信を制限している配信制限時間を管理している。広告またはコンテンツの配信制限時間は、端末装置１００Ａ〜１００Ｃのそれぞれのユーザが端末装置１００Ａ〜１００Ｃを用いて個別に設定した時間であっても良い。また、広告の配信制限時間は、広告配信事業者が広告サーバ３００を用いて設定した時間であり、コンテンツの配信制限時間は、コンテンツ配信事業者がコンテンツサーバ４００を用いて設定した時間であっても良い。
【００３３】
広告・コンテンツ配信制御部２０５は、端末装置１００Ａ〜１００Ｃへの広告またはコンテンツの配信時に、時計部２０６で管理されている現在時刻と、配信制限時間管理部２０７で管理されている配信制限時間とを参照し、現在時刻が配信制限時間に該当すれば、広告またはコンテンツの配信を制限する。このとき、端末装置１００Ａ〜１００Ｃのいずれかの配信制限時間に現在時刻が該当していれば、その端末装置に対しては配信を行わないが、それ以外の端末装置に対しては配信を行うことになる。また、広告サーバ３００に発言権が付与された場合において、広告の配信制限時間に現在時刻が該当していれば、端末装置１００Ａ〜１００Ｃのいずれに対しても配信を行わない。
【００３４】
図４を参照すると、広告サーバ３００は、通信部３０１と、広告管理部３０２と、位置情報対応テーブル３０３と、時計部３０４と、広告選択部３０５とを有している。
【００３５】
通信部３０１は、ネットワーク５００とのインターフェース部分である。
【００３６】
広告管理部３０２は、端末装置１００Ａ〜１００Ｃに配信する広告、その広告に関する情報を管理している。広告に関する情報とは、例えば、その広告が商品である場合は、その商品の詳細（仕様、使用方法等）を画像（静止画、動画）で示す情報等である。
【００３７】
位置情報対応テーブル３０３は、ＰＴＴ通信サーバ２００の広告・コンテンツ配信制御部２０５からネットワーク５００を介して通信部３０１に送信されてくる位置情報と、その位置情報により特定される場所とを対応付けるテーブルである。例えば、位置情報が緯度ｘｘｘ、経度ｙｙｙであり、その位置情報により特定される場所が映画館Ｚである場合は、緯度ｘｘｘ、経度ｙｙｙである位置情報と、映画館Ｚとを対応付けることになる。
【００３８】
広告選択部３０５は、ＰＴＴ通信サーバ２００の広告・コンテンツ配信制御部２０５からネットワーク５００を介して通信部３０１に送信されてきた、端末装置１００Ａ〜１００Ｃを使用するユーザのプロファイルの情報、端末装置１００Ａ〜１００Ｃの位置情報、時計部３０４で管理されている現在時刻の情報のいずれか１つ以上に基づいて、端末装置１００Ａ〜１００Ｃに配信する最適な広告を選択し、選択した広告およびその広告に関する情報を通信部３０１からネットワーク５００を介してＰＴＴ通信サーバ２００に送信する。このとき、ＰＴＴ通信サーバ２００に送信する広告は、個々の端末装置１００Ａ〜１００Ｃに共通に選択したものであっても良いし、個々の端末装置１００Ａ〜１００Ｃごとに個別に選択したものであっても良い。また、ＰＴＴ通信サーバ２００に送信する広告は、その広告全体を含んでいても良いし、その広告の一部のみを含むようにカスタマイズしたものであっても良い。
【００３９】
図５を参照すると、コンテンツサーバ４００は、通信部４０１と、コンテンツ管理部４０２と、位置情報対応テーブル４０３と、時計部４０４と、コンテンツ選択部４０５とを有している。
【００４０】
通信部４０１は、ネットワーク５００とのインターフェース部分である。
【００４１】
コンテンツ管理部４０２は、端末装置１００Ａ〜１００Ｃに配信するコンテンツ、そのコンテンツに関する情報を管理している。コンテンツに関する情報とは、例えば、そのコンテンツが音楽コンテンツである場合は、曲名やアーティスト名を示す情報、アーティストの画像（静止画、動画）の情報等である。
【００４２】
位置情報対応テーブル４０３は、ＰＴＴ通信サーバ２００の広告・コンテンツ配信制御部２０５からネットワーク５００を介して通信部４０１に送信されてくる位置情報と、その位置情報により特定される場所とを対応付けるテーブルである。
【００４３】
コンテンツ選択部４０５は、ＰＴＴ通信サーバ２００の広告・コンテンツ配信制御部２０５からネットワーク５００を介して通信部４０１に送信されてきた、端末装置１００Ａ〜１００Ｃを使用するユーザのプロファイルの情報、端末装置１００Ａ〜１００Ｃの位置情報、時計部４０４で管理されている現在時刻の情報のいずれか１つ以上に基づいて、端末装置１００Ａ〜１００Ｃに配信する最適なコンテンツを選択し、選択したコンテンツおよびそのコンテンツに関する情報を、通信部４０１からネットワーク５００を介してＰＴＴ通信サーバ２００に送信する。このとき、ＰＴＴ通信サーバ２００に送信するコンテンツは、個々の端末装置１００Ａ〜１００Ｃに共通に選択したものであっても良いし、個々の端末装置１００Ａ〜１００Ｃごとに個別に選択したものであっても良い。また、ＰＴＴ通信サーバ２００に送信するコンテンツは、そのコンテンツ全体を含んでいても良いし、そのコンテンツの一部のみを含むようにカスタマイズしたものであっても良い。
【００４４】
以下、本実施形態のＰＴＴ通信システムの動作について、図６のフローチャートを用いて説明する。ここでは、ＰＴＴ通信サーバ２００内のグループリスト管理部２０２が、端末装置１００Ａ〜１００Ｃ、広告サーバ３００、コンテンツサーバ４００からなるＰＴＴ通信グループのリストや、端末装置１００Ａ〜１００Ｃを使用するユーザのプロファイル情報等をすでに管理しているものとして説明する。また、端末装置１００Ａから端末装置１００Ｂ，１００Ｃに対してＰＴＴ通信の参加要請を行うことでＰＴＴ通信が開始される場合の動作について説明する。
【００４５】
まず、端末装置１００Ａは、ユーザによる操作部１０２の操作に応じて、ネットワーク５００を介してＰＴＴ通信サーバ２００にログオンし、ＰＴＴ通信グループに属する他の端末装置１００Ｂ，１００Ｃを確認する。そして、ＰＴＴ通信サーバ２００を経由して端末装置１００Ｂ，１００Ｃに対し、ＰＴＴ通信への参加要請を行う（ステップ６０１，６０２）。この参加要請は、ＰＴＴ通信サーバ２００の発言権制御部２０４によって、端末装置１００Ｂ，１００Ｃに転送される。
【００４６】
これを受けて、端末装置１００Ｂ，１００Ｃは、ユーザによる操作部１０２の操作に応じて、ＰＴＴ通信サーバ２００を経由して端末装置１００Ａに対し、ＰＴＴ通信への参加表明を行う（ステップ６０３，６０４）。この参加表明は、ＰＴＴ通信サーバ２００の発言権制御部２０４によって、端末装置１００Ａに転送される。
【００４７】
以上の手順が終了した後、端末装置１００Ａ〜１００Ｃでは、相互にＰＴＴ通信を開始する。
【００４８】
端末装置１００Ａ〜１００Ｃのそれぞれの端末状態通知部１０８は、端末装置１００Ａ〜１００ＣがＰＴＴ通信を行っている間、自己の端末装置にてＰＴＴボタン１０２−１が押下されているか否かの情報、位置情報算出部１０７にて算出された自己の端末装置の位置情報を、ネットワーク５００を介してＰＴＴ通信サーバ２００に送信する（ステップ６０５，６０６）。
【００４９】
ＰＴＴ通信サーバ２００の端末状態監視部２０３は、端末装置１００Ａ〜１００Ｃのそれぞれからネットワーク５００を介して受信した、ＰＴＴボタン１０２−１の押下情報に基づいて、端末装置１００Ａ〜１００ＣのいずれかでＰＴＴボタン１０２−１が押下されたかを監視する（ステップ６０７）。
【００５０】
ここで、例えば、端末装置１００ＡでＰＴＴボタン１０２−１が押下されたとする（ステップ６０８）。この状態では、ＰＴＴ通信サーバ２００の発言権制御部２０４は、端末装置１００Ａに対してＰＴＴボタン１０２−１の押下を解除するまで発言権を付与する（ステップ６０９）。以降、ＰＴＴ通信サーバ２００の発言権制御部２０４は、端末装置１００Ａからネットワーク５００を介して通信データが送信されてきた場合（ステップ６１０）、その通信データをネットワーク５００を介して端末装置１００Ｂ，１００Ｃに対して一方的に転送する（ステップ６１１）。また、端末装置１００Ｂ，１００Ｃによる通信データの送信を禁止する。
【００５１】
一方、端末装置１００Ａ〜１００ＣのいずれでもＰＴＴボタン１０２−１が押下されていない状態では、ＰＴＴ通信サーバ２００の発言権制御部２０４は、広告サーバ３００またはコンテンツサーバ４００に発言権を付与する（ステップ６１２）。このとき、広告サーバ３００またはコンテンツサーバ４００のどちらに発言権を付与するかの判断基準は上述の通りである。ここでは、広告サーバ３００に発言権を付与したものとする。
【００５２】
ＰＴＴ通信サーバ２００の広告・コンテンツ配信制御部２０５は、発言権が付与された広告サーバ３００に対してネットワーク５００を介して、グループリスト管理部２０２に管理されている端末装置１００Ａ〜１００Ｃのユーザのプロファイルの情報、端末状態監視部２０３で監視されている端末装置１００Ａ〜１００Ｃの位置情報を送信する（ステップ６１３）。
【００５３】
次に、広告サーバ３００の広告選択部３０５は、ＰＴＴ通信サーバ２００からネットワーク５００を介して受信した、端末装置１００Ａ〜１００Ｃを使用するユーザのプロファイルの情報、端末装置１００Ａ〜１００Ｃの位置情報、時計部３０４で管理されている現在時刻の情報のいずれか１つ以上に基づいて、音声および／または画像からなる最適な広告を選択し（ステップ６１４）、選択した広告およびその広告に関する情報をネットワーク５００を介してＰＴＴ通信サーバ２００に送信する（ステップ６１５）。このとき、ＰＴＴ通信サーバ２００に送信する広告は、個々の端末装置１００Ａ〜１００Ｃに共通に選択したものであっても良いし、個々の端末装置１００Ａ〜１００Ｃごとに個別に選択したものであっても良い。また、ＰＴＴ通信サーバ２００に送信する広告は、その広告全体を含んでいても良いし、その広告の一部のみを含むようにカスタマイズしたものであっても良い。
【００５４】
その後、ＰＴＴ通信サーバ２００の広告・コンテンツ配信制御部２０５は、広告サーバ３００にて選択され、広告サーバ３００からネットワーク５００を介して送信されてきた広告を、端末装置１００Ａ〜１００Ｃに対してネットワーク５００を介して配信する（ステップ６１６）。このとき、時計部２０６で管理されている現在時刻が、配信制限時間管理部２０７で管理されている配信制限時間に該当すれば、広告の配信を制限する。例えば、端末装置１００Ａのみの配信制限時間に該当していれば、端末装置１００Ａに対しては配信を行わないが、それ以外の端末装置１００Ｂ，１００Ｃに対しては配信を行う。また、広告自体の配信制限時間に現在時刻に該当していれば、端末装置１００Ａ〜１００Ｃのいずれに対しても配信を行わない。
【００５５】
なお、端末装置１００Ａ〜１００ＣのいずれでもＰＴＴボタン１０２−１が押下されていない状態での発言権をコンテンツサーバ４００に付与した場合の動作については、広告サーバ３００をコンテンツサーバ４００に置き換え、コンテンツサーバ４００で管理されているコンテンツを配信すれば良いため、説明を省略する。
【００５６】
上述したように本実施形態においては、端末装置１００Ａ〜１００ＣのいずれでもＰＴＴボタン１０２−１が押下されていない状態では、ＰＴＴボタンを装備していない広告サーバ３００またはコンテンツサーバ４００に発言権が付与され、広告サーバ３００またはコンテンツサーバ４００で選択された広告またはコンテンツが端末装置１００Ａ〜１００Ｃに配信される。よって、ＰＴＴボタンを装備していない広告サーバ３００またはコンテンツサーバ４００でもＰＴＴ通信に参加することができる。
（第２の実施形態）
図７を参照すると、本発明の第２の実施形態のＰＴＴ通信システムは、端末装置６００Ａ，６００Ｂと、ＰＴＴ通信サーバ７００と、インターホン８００と、これらを相互に接続するネットワーク９００とを有している。すなわち、本実施形態が第１の実施形態と異なる点は、広告サーバ３００およびコンテンツサーバ４００の代わりに、インターホン８００を設けた点にある。なお、図１においては、端末装置６００Ａ，６００Ｂおよびインターホン８００は、相互にＰＴＴ通信を行うＰＴＴ通信グループを形成しているものとする。
【００５７】
端末装置６００Ａ，６００Ｂは、ユーザがＰＴＴ通信を行うために使用する携帯電話等であり、発言権を獲得したいユーザによって押下されるＰＴＴボタン６０２−１を具備している。なお、本実施形態においては、端末装置６００Ａ，６００Ｂを使用するユーザとは、具体的には、マンション、アパート、一戸建て住宅などの住居の居住者のことである。
【００５８】
ＰＴＴ通信サーバ７００は、端末装置６００Ａ，６００ＢのいずれかにてＰＴＴボタン６０２−１が押下された状態では、ＰＴＴボタン６０２−１が押下された端末装置に対してＰＴＴボタン６０２−１の押下を解除するまで発言権を付与し、ＰＴＴボタン６０２−１が押下された端末装置に入力された音声および／または画像からなる通信データを、ネットワーク９００を介して他の端末装置に対して一方的に転送する。一方、端末装置６００Ａ，６００ＢのいずれでもＰＴＴボタン６０２−１が押下されていない状態では、インターホン８００に発言権を付与して、インターホン８００に入力された音声および／または画像からなる通信データを、ネットワーク９００を介して端末装置６００Ａ，６００Ｂに対して一方的に転送する。
【００５９】
インターホン８００は、マンション、アパート、一戸建て住宅などの住居に設置されるものであり、これらの住居を訪れた来訪者が使用するものである。より具体的なインターホン８００の設置場所としては、次の（１）（２）を想定している。なお、インターホン８００には、ＰＴＴボタンは装備されていない。
（１）オートロックを採用したマンションのロビー
（２）オートロックを採用していないマンション、アパート、一戸建て住宅の玄関
ここで、端末装置６００Ａ，６００Ｂ、ＰＴＴ通信サーバ７００、およびインターホン８００の内部構成について図８〜図１０を用いて説明する。
【００６０】
図８を参照すると、端末装置６００Ａ，６００Ｂは、通信部６０１と、ＰＴＴボタン６０２−１などの入力キーからなる操作部６０２と、マイク６０３と、スピーカ６０４と、カメラ６０５と、液晶表示部６０６と、端末状態通知部６０７とを有している。
【００６１】
通信部６０１は、ネットワーク９００とのインターフェース部分である。
【００６２】
ＰＴＴボタン６０２−１はユーザが発言権を獲得したい場合に押下するものであり、マイク６０３は音声を集音するものであり、スピーカ６０４は音声を出力するものであり、カメラ６０５は画像を撮影するものであり、液晶表示部６０６は画像を表示出力するものである。例えば、端末装置６００Ａでは、端末装置６００Ａが発言権を獲得している状態では、カメラ６０５で撮影された画像やマイク６０３で集音された音声からなる通信データを、通信部６０１からネットワーク９００を介して、ＰＴＴ通信グループに属する端末装置６００Ｂに送信する。また、端末装置６００Ａでは、ＰＴＴ通信グループに属する他の装置（端末装置６００Ｂ、インターホン８００）が発言権を獲得している状態では、当該他の装置からネットワーク９００を介して通信部６０１にて受信した画像や音声からなる通信データを、液晶表示部６０６、スピーカ６０４から出力する。
【００６３】
端末状態通知部６０７は、自己の端末装置の状態に関する情報、すなわち、ＰＴＴボタン６０２−１が押下されているか否かの情報等を、通信部６０１からネットワーク９００を介してＰＴＴ通信サーバ７００に送信する。
【００６４】
図９を参照すると、ＰＴＴ通信サーバ７００は、通信部７０１と、グループリスト管理部７０２と、端末状態監視部７０３と、発言権制御部７０４とを有している。
【００６５】
通信部７０１は、ネットワーク９００とのインターフェース部分である。
【００６６】
グループリスト管理部７０２は、ＰＴＴ通信グループのグループリストを管理する。また、ＰＴＴ通信グループを形成する装置の追加、削除等を行う。ＰＴＴ通信サーバ７００内の他の構成要素は、グループリスト管理部７０２に管理されている情報に基づいて、ＰＴＴ通信グループに属する端末装置６００Ａ，６００Ｂ、インターホン８００等を判断することになる。
【００６７】
端末状態監視部７０３は、端末装置６００Ａ，６００Ｂのそれぞれの端末状態通知部６０７からネットワーク９００を介して通信部７０１に送信されてきた情報に基づいて、端末装置６００Ａ，６００Ｂの状態、すなわち、端末装置６００Ａ，６００ＢにおけるＰＴＴボタン６０２−１の押下状態などを監視する。
【００６８】
発言権制御部７０４は、端末装置６００Ａ，６００ＢのいずれかでＰＴＴボタン６０２−１が押下されているかを、端末状態監視部７０３による監視結果に基づき判断し、その判断結果に基づいて発言権を制御する。
【００６９】
例えば、発言権制御部７０４は、端末装置６００ＡでＰＴＴボタン６０２−１が押下されている状態では、端末装置６００Ａに対してＰＴＴボタン６０２−１の押下を解除するまで発言権を付与する。この場合、端末装置６００ＡでＰＴＴボタン６０２−１が押下されている間、端末装置６００Ａからネットワーク９００を介して送信されてきた通信データを、ネットワーク９００を介して端末装置６００Ｂに対して一方的に転送し、端末装置６００Ｂによる通信データの送信を禁止する。
【００７０】
一方、発言権制御部７０４は、端末装置６００Ａ，６００ＢのいずれでもＰＴＴボタン６０２−１が押下されていない状態では、インターホン８００に発言権を付与する。この場合、インターホン８００からネットワーク９００を介して送信されてきた通信データを、ネットワーク９００を介して端末装置６００Ａ，６００Ｂに対して一方的に転送し、端末装置６００Ａ，６００Ｂによる通信データの送信を禁止する。
【００７１】
図１０を参照すると、インターホン８００は、通信部８０１と、呼出ボタン８０２−１などの入力キーからなる操作部８０２と、マイク８０３と、スピーカ８０４と、カメラ８０５と、液晶表示部８０６とを有している。
【００７２】
通信部８０１は、ネットワーク９００とのインターフェース部分である。
【００７３】
呼出ボタン８０２−１は、マンション等への来訪者が押下するものである。詳細は後述するが、呼出ボタン８０２−１の押下をトリガにして、ＰＴＴ通信サーバ７００内の発言権制御部７０４から端末装置６００Ａ，６００Ｂに対してＰＴＴ通信への参加要請が行われ、端末装置６００Ａ，６００Ｂが参加表明を行った場合に、ＰＴＴ通信が開始されることになる。また、マイク８０３は音声を集音するものであり、スピーカ８０４は音声を出力するものであり、カメラ８０５は画像を撮影するものであり、液晶表示部８０６は画像を表示出力するものである。例えば、インターホン８００では、インターホン８００が発言権を獲得している状態では、カメラ８０５で撮影された画像やマイク８０３で集音された音声からなる通信データを、通信部８０１からネットワーク９００を介して、ＰＴＴ通信グループに属する端末装置６００Ａ，６００Ｂに送信する。また、インターホン８００では、ＰＴＴ通信グループに属する他の装置（端末装置６００Ａ，６００Ｂ）が発言権を獲得している状態では、当該他の装置からネットワーク９００を介して通信部８０１にて受信した画像や音声からなる通信データを、液晶表示部８０６、スピーカ８０４から出力する。
【００７４】
以下、本実施形態のＰＴＴ通信システムの動作について、図１１のフローチャートを用いて説明する。ここでは、ＰＴＴ通信サーバ７００内のグループリスト管理部７０２が、端末装置６００Ａ，６００Ｂ、インターホン８００からなるＰＴＴ通信グループのリストや、端末装置６００Ａ，６００Ｂを使用するユーザのプロファイル情報等をすでに管理しているものとして説明する。また、インターホン８００の呼出ボタン８０２−１が押下されたことをトリガにして、ＰＴＴ通信が開始される場合の動作について説明する。
【００７５】
まず、インターホン８００は、呼出ボタン８０２−１が押下されると、呼出ボタン８０２−１が押下されたことを示す呼出情報を、ネットワーク９００を介してＰＴＴ通信サーバ７００に送信する（ステップ１１０１）。すると、ＰＴＴ通信サーバ７００の発言権制御部７０４は、ネットワーク９００を介して端末装置６００Ａ，６００Ｂに対し、ＰＴＴ通信への参加要請を行う（ステップ１１０２）。
【００７６】
これを受けて、端末装置６００Ａ，６００Ｂは、ユーザによる操作部６０２の操作に応じて、ネットワーク９００を介してＰＴＴ通信サーバ７００に対し、ＰＴＴ通信への参加表明を行い（ステップ１１０３，１１０４）、ＰＴＴ通信サーバ７００の発言権制御部７０４は、ネットワーク９００を介してインターホン８００に対し、端末装置６００Ａ，６００Ｂからの参加表明の通知を転送する（ステップ１１０５）。
【００７７】
以上の手順が終了した後、インターホン８００、端末装置６００Ａ，６００Ｂでは、相互にＰＴＴ通信を開始する。
【００７８】
端末装置６００Ａ，６００Ｂのそれぞれの端末状態通知部６０７は、インターホン８００、端末装置６００Ａ，６００ＢがＰＴＴ通信を行っている間、自己の端末装置にてＰＴＴボタン６０２−１が押下されているか否かの情報を、ネットワーク９００を介してＰＴＴ通信サーバ７００に送信する（ステップ１１０６，１１０７）。
【００７９】
ＰＴＴ通信サーバ７００の端末状態監視部７０３は、端末装置６００Ａ，６００Ｂのそれぞれからネットワーク９００を介して受信した、ＰＴＴボタン６０２−１の押下情報に基づいて、端末装置６００Ａ，６００ＢのいずれかでＰＴＴボタン６０２−１が押下されたかを監視する（ステップ１１０８）。
【００８０】
ここで、例えば、端末装置６００ＡでＰＴＴボタン６０２−１が押下されたとする（ステップ１１０９）。この状態では、ＰＴＴ通信サーバ７００の発言権制御部７０４は、端末装置６００Ａに対してＰＴＴボタン６０２−１の押下を解除するまで発言権を付与する（ステップ１１１０）。以降、ＰＴＴ通信サーバ７００の発言権制御部７０４は、端末装置６００Ａからネットワーク９００を介して通信データが送信されてきた場合（ステップ１１１１）、その通信データをネットワーク９００を介して端末装置６００Ｂおよびインターホン８００に対して一方的に転送する（ステップ１１１２）。また、端末装置６００Ｂおよびインターホン８００による通信データの送信を禁止する。
【００８１】
一方、端末装置６００Ａ，６００ＢのいずれでもＰＴＴボタン６０２−１が押下されていない状態では、ＰＴＴ通信サーバ７００の発言権制御部７０４は、端末装置６００Ａ，６００ＢのいずれかでＰＴＴボタン６０２−１が押下されるまで、インターホン８００に対して発言権を付与する（ステップ１１１３）。以降、ＰＴＴ通信サーバ７００の発言権制御部７０４は、インターホン８００からネットワーク９００を介して通信データが送信されてきた場合（ステップ１１１４）、その通信データをネットワーク９００を介して端末装置６００Ａ，６００Ｂに対して一方的に転送する（ステップ１１１５）。また、端末装置６００Ａ，６００Ｂによる通信データの送信を禁止する。
【００８２】
上述したように本実施形態においては、端末装置６００Ａ，６００ＢのいずれでもＰＴＴボタン６０２−１が押下されていない状態では、ＰＴＴボタンを装備していないインターホン８００に発言権が付与され、インターホン８００に入力された通信データが端末装置６００Ａ，６００Ｂに送信される。よって、ＰＴＴボタンを装備していないインターホン８００でもＰＴＴ通信に参加することができる。
【００８３】
また、マンション等の居住者は外出先から端末装置６００Ａ，６００Ｂを使用してＰＴＴ通信を行うことにより、インターホン８００を押下してＰＴＴ通信に参加している来訪者に対してあたかも在宅しているように見せることができる。そのため、インターホン８００は、来訪者にとって、ＰＴＴ通信を行うことのない一般的なインターホンのように見えることが好ましい。
【図面の簡単な説明】
【００８４】
【図１】本発明の第１の実施形態のＰＴＴ通信システムの構成を示す図である。
【図２】図１に示した端末装置の構成の一例を示す図である。
【図３】図１に示したＰＴＴ通信サーバの構成の一例を示す図である。
【図４】図１に示した広告サーバの構成の一例を示す図である。
【図５】図１に示したコンテンツサーバの構成の一例を示す図である。
【図６】図１に示したＰＴＴ通信システムの動作を説明するフローチャートである。
【図７】本発明の第２の実施形態のＰＴＴ通信システムの構成を示す図である。
【図８】図７に示した端末装置の構成の一例を示す図である。
【図９】図７に示したＰＴＴ通信サーバの構成の一例を示す図である。
【図１０】図７に示したインターホンの構成の一例を示す図である。
【図１１】図７に示したＰＴＴ通信システムの動作を説明するフローチャートである。
【符号の説明】
【００８５】
１００Ａ〜１００Ｃ    端末装置
１０２−１    ＰＴＴボタン
２００    ＰＴＴ通信サーバ
３００    広告サーバ
４００    コンテンツサーバ
５００    ネットワーク
６００Ａ，６００Ｂ    端末装置
６０２−１    ＰＴＴボタン
７００    ＰＴＴ通信サーバ
８００    インターホン
９００    ネットワーク
【図１】
2006054656.tif 000003
【図２】
2006054656.tif 000004
【図３】
2006054656.tif 000005
【図４】
2006054656.tif 000006
【図５】
2006054656.tif 000007
【図６】
2006054656.tif 000008
【図７】
2006054656.tif 000009
【図８】
2006054656.tif 000010
【図９】
2006054656.tif 000011
【図１０】
2006054656.tif 000012
【図１１】
2006054656.tif 000013